(57)【要約】【課題】水生植物を用いるものとして、外部からの肥料分を供給せずとも植物の成長を維持することができ、天然または人工の土壌等の栽培床を必要としないので雑草の繁茂対策や、強風による土壌の飛散防止の必要もなく、しかも、全体が軽量で、安価であり、組立ても容易で、建築物の屋上、ベランダ、地上等に設置するのに非常に適している。また、ヒートアイランド現象の緩和ができ、屋上緑化に効果大である。【解決手段】水生植物６を配設するものとして、下端を内側に折り曲げて接地面１０を確保した金属製枠８または樹脂製枠の内側に非透水性シート９をこの金属製枠８または樹脂製枠の内側面および底部開口面１２を覆うように配設し、前記金属製枠８または樹脂製枠の上端に前記非透水性シート９の端部を固定して形成した水盤７からなることを特徴とする。【選択図】        図１
2004305114.tif 000002
【特許請求の範囲】
【請求項１】
水生植物を配設するものとして、下端を内側に折り曲げて接地面を確保した枠の内側に非透水性シートをこの枠の内側面および底部開口面を覆うように配設し、前記枠の上端に前記非透水性シートの端部を固定して形成した水盤からなることを特徴とする緑化装置
【請求項２】
枠の上端への非透水性シートの端部の固定は、枠の上端に笠木を嵌着し、この笠木と枠とで挟み込むことによることを特徴とする請求項１記載の緑化装置。
【請求項３】
枠は上端をバネ体として、これを笠木下面の溝に圧入することを特徴とする請求項２記載の緑化装置。
【発明の詳細な説明】
【０００１】
【発明の属する技術分野】
この発明は、建物の緑化用として、軽量で安価であり、組み立ても簡単なので、特に、ビルの屋上等に設置するにも最適な緑化装置に関するものである。
【０００２】
【従来の技術】
近年、都市のヒートアイランド化防止、地球温暖化防止のために建物緑化を推進しようとの動きが積極的に展開されている。
【０００３】
建造物の屋上を緑化する場合、まず、屋上で緑化のための基盤層を造り、その上に培土を敷き、この培土に緑化植物を植栽するか、もしくはこの培土に予め緑化植物を植栽した箱やマットを置くという工法で緑化を行なって来た。
【０００４】
下記特許文献１もその一例であり、図４に示すように、建造物の屋上に屋上緑化ユニット１、１、…を置いて設置することで緑化を行なう。屋上緑化ユニット１は、基盤枠２に透水材で形成された排水層３ａ、培養土を含む培土層３ｂ及び緑化植物４、４、…の植栽された植栽層３ｃを収納して形成される。屋上に設置された屋上緑化ユニット１、１、…はステンレスクリップ５、５、…によって接続される。
【０００５】
【特許文献１】
特開２００３−６１４５７号公報
【０００６】
この特許文献１に係る屋上緑化ユニットは、建造物の屋上に置いて設置するための上部が開口した箱状の基盤枠と、この基盤枠に収納され、且つ緑化植物が植栽された植栽材とを備えたことを特徴とするもので、屋上緑化ユニットは建造物の屋上に置くだけで設置できるとともに、この屋上緑化ユニットにはあらかじめ緑化植物が植栽された植栽材が収納されているので、屋上の緑化に要する工期を短縮できる。
【０００７】
また、該屋上緑化ユニットの設置に特別な工程を要さないので、高所作業に伴なう危険を軽減できるとともに、特に熟練していない作業者でも確実に施工できる。また、屋上緑化ユニットの撤去が必要になった場合には、容易に撤去を行ない、屋上を原状に戻すことができる。
【０００８】
【発明が解決しようとする課題】
前記特許文献１に係る屋上緑化ユニットは、箱状の基盤枠内に植物栽培のために土壌が必要であり重量が増加する。また、土壌の湿度を一定の範囲で制御することが困難である。さらに、落葉、落ち枝、枯れ葉等の処理を怠ると雨水排水路の詰まりが生じる。
【０００９】
また、箱状の基盤枠は植物の根により破壊されない強固な遮水構造とする必要がある。しかも、土壌に落下した種子により雑草が繁茂する。強風により土壌、落葉、花粉等が飛散する。
【００１０】
この発明の目的は前記従来例の不都合を解消し、水生植物を用いるものとして、外部からの肥料分を供給せずとも植物の成長を維持することができ、天然または人工の土壌等の栽培床を必要としないので雑草の繁茂対策や、強風による土壌の飛散防止の必要もなく、しかも、全体が軽量で、安価であり、組立ても容易で、建築物の屋上、ベランダ等に設置して、ヒートアイランド現象の緩和に著しく効果を発揮するのに非常に適している緑化装置を提供することにある。
【００１１】
【課題を解決するための手段】
請求項１記載のこの発明は前記目的を達成するため、水生植物を配設するものとして、下端を内側に折り曲げて接地面を確保した枠の内側に非透水性シートをこの枠の内側面および底部開口面を覆うように配設し、前記枠の上端に前記非透水性シートの端部を固定して形成した水盤からなることを要旨とするものである。
【００１２】
請求項１記載のこの発明によれば、水生植物を配設するものであり、水生植物のための肥料分は、外部から供給することもできるが、平板状根茎マット状に育成した水生植物苗を用いれば、平板状根茎マット中に肥料分に富む泥を含んでおり、また成長と共に古くなった葉、落葉等の水中での腐敗、水盤入の水道水、雨水等の給水、および水盤への花粉等の落下が肥料分の供給源となるため、外部から肥料分を供給せずとも水生植物の成長を維持することができる。
【００１３】
また、活発になりすぎた場合の植物体の間引きも花卉植物の花を採取する程度で十分であり、天然または人工の土壌等の栽培床を含まないので、土壌に落下した種子による雑草の繁茂、および強風による土壌の飛散は生じない。
【００１４】
水盤としては、枠と非透水性シートから構成され、底板がある水盤と比べて安価で、軽量である。しかも、枠は組立てが簡単であり、前記非透水性シートと組み合わせるだけなので、装置全体を簡単に組み立てることができる。
【００１５】
また、枠は下端を内側に折り曲げて接地面を確保しているので、可撓性の非透水性シートと組み合わせでも安定して接地することができる。特に、この接地面を確保する内側折り曲げ部の上にも水を貯える非透水性シートが載り、非透水性シート自体の保護が可能であるとともに、枠に荷重を負担させ、全体が強風等で動いてしまうような事態を防止できる。
【００１６】
さらに、非透水性シートの端部は枠の上端に固定されることで、非透水性シートが水を貯える上での安定性を確保でき、また、非透水性シートはこのように上端のみを固定するので、自由度があり、配設も簡単で、傷み難いものにもなる。
【００１７】
請求項２記載のこの発明は、枠の上端への非透水性シートの端部の固定は、枠の上端に笠木を嵌着し、この笠木と枠とで挟み込むことによることを要旨とするものである。
【００１８】
請求項２記載のこの発明によれば、枠は笠木を有することで、体裁が良いし、内側に張り出すこの笠木の内方側を水循環用パイプの挿入スペースに利用することなどもでき、さらに、非透水性シートの端部の枠の上端への固定を笠木を利用して行なうことができる。
【００１９】
請求項３記載のこの発明は、枠は上端をバネ体として、これを笠木下面の溝に圧入することを要旨とするものである。
【００２０】
請求項３記載のこの発明によれば、枠の上端への笠木の嵌着は、バネ体の弾力性を利用して簡単かつ確実に行なうことができるが、非透水性シートの端部の枠の上端への固定を笠木を利用して行なうのにもこのバネ体の弾力性を利用して非透水性シートの端部を確実に挟み込み固定することができる。
【００２１】
【発明の実施の形態】
以下、図面について発明の実施の形態について詳細に説明する。図１はこの発明の緑化装置の１実施形態を示す縦断側面図で、水生植物６とこの水生植物６を配設する水盤７とからなる。
【００２２】
先に水盤７から説明すると、アルミニウム合金（押出し形材）等による金属製枠８と加硫ゴム（ＥＰＤＭ）系遮水シートによる非透水性シート９で構成する。なお、この金属製枠８は樹脂製の枠にしてもよい、
【００２３】
金属製枠８は垂直壁１１に対して下端を内側に直角に折り曲げて接地面１０を確保したアングル材で、四周辺を構成したものであり、図示は省略するが、組み立て可能なものとして、コーナー部は補強材（板）等を介在させて、リベット止め等により結合する。
【００２４】
このようにして、金属製枠８は矩形枠として形成され、、中央には底部開口面１２を有する（底面がない状態）ものとする。
【００２５】
また、金属製枠８の上端には、水平フランジ１３を形成してＴ字形とし、さらにこの水平フランジ１３からバネ体１４、１４となる平行片を立ち上げた。このバネ体１４、１４の外側側面は、のこぎり状の係止面１５として形成する。
【００２６】
前記金属製枠８には上端に笠木１８を嵌着する。この笠木１８も金属製で、アルミニウム合金（押出し形材）等によるものであり、図示の例では断面中空ドーム状のものである。
【００２７】
笠木１８は下面中央に前記金属製枠８の上端のバネ体１４、１４となる平行片が圧入できる幅と深さの凹溝１９を長手方向に形成し、また、笠木１８の内部を縦の区画壁２０で、前記凹溝１９を含む外方側（前記金属製枠８と組み合わせた場合にと金属製枠８の外側になる部分）とそれ以外の内方側（前記金属製枠８と組み合わせた場合にと金属製枠８の内側になる部分）とに区画し、この内方側は下面を開口として、その内部空間を水循環用パイプ等の管挿入スペース２１とした。
【００２８】
前記非透水性シート９は、前記金属製枠８の内側面および底部開口面１２を覆うように配設するが、底と立ち上がり側壁があるものとして盤状をなしており、金属製枠８の上端に笠木１８を嵌着する際に、非透水性シート９の上端をその間に嵌め込むことで、金属製枠８の上端に前記非透水性シート９の端部を固定する。
【００２９】
この場合、非透水性シート９はバネ体１４、１４に被せるようにしてこれを覆い、バネ体１４、１４とともに凹溝１９内に挿入することで、バネ体１４、１４の弾性により、また、バネ体１４、１４の外側側面ののこぎり状の係止面１５により、非透水性シート９は抜け出ることなくしっかりと固定される。
【００３０】
前記水盤７は例えば屋上躯体２２の上に載置され、内部に水２３を貯めて、水生植物６を配設する。
【００３１】
この水生植物６としては、水生植物苗同士の根が互いに絡み合って平板状根茎マットを形成しており、それぞれの水生植物苗は平板状根茎マットにより容易に分離しない平板状根茎マット付き水生植物苗が好適である。平板状根茎マット付き水生植物苗は、根が水面下にあり、かつ根の下端が完全に底に達しているような水深で栽培することによって育成し得る。
【００３２】
さらに、前記水生植物６は５〜１５ｃｍの浅い水深でも継統的に成長できる種類のものであり、そして水盤７を越えて平面的に成長せず、草丈が比較的低い植物が好ましい。また、枯葉を植物体から分離しない水生植物は、枯葉が飛散しないためさらに好ましい。常緑であるかまたは長期にわたって花を咲かせ、花弁、観葉、花壇形成等に使用できる水生植物を選択することもできる。このような植物には例えば、セキショウ、ミント、ワスレナグサ、シマフトイ、ポンテデリア、リシマキア、ルイジアナアヤメ、四季咲きカキツバタ等が挙げられる。
【００３３】
なお、図示は省略するが、水盤７にフロート弁および配水管からなる自動水深保持機構を付設し、水盤７の水深が一定範囲以下となった場合には、水道水等を給水するようにするとか、水盤７の中の水２３はポンプにより循環するようにしてもよい。
【００３４】
【発明の効果】
以上述べたように本発明の緑化装置は、水生植物を用いるものとして、外部からの肥料分を供給せずとも植物の成長を維持することができ、天然または人工の土壌等の栽培床を必要としないので雑草の繁茂対策や、強風による土壌の飛散防止の必要もなく、しかも、全体が軽量で、安価であり、組立ても容易で、建築物の屋上、ベランダ、地上等に設置するのに非常に適しているものである。また、屋上のヒートアイランド現象の緩和に著しく効果を発揮する。
【図面の簡単な説明】
【図１】この発明の緑化装置の１実施形態を示す縦断側面図である。
【図２】枠と笠木の縦断側面図である。
【図３】枠上端部分の縦断側面図である。
【図４】従来例を示す縦断側面図である。
【符号の説明】
１…屋上緑化ユニット                      ２…基盤枠
３ａ…排水層                              ３ｂ…培土層
３ｃ…植栽層                              ４…緑化植物
５…ステンレスクリップ                    ６…水生植物
７…水盤                                  ８…金属製枠
９…非透水性シート                        １０…接地面
１１…垂直壁                              １２…底部開口面
１３…水平フランジ                        １４…バネ体
１５…のこぎり状の係止面                  １８…笠木
１９…凹溝                                ２０…区画壁
２１…管挿入スペース                      ２２…屋上躯体
２３…水
【図１】
2004305114.tif 000003
【図２】
2004305114.tif 000004
【図３】
2004305114.tif 000005
【図４】
2004305114.tif 000006